(57)【要約】【課題】  これまでのスティール製の密閉型ロッカーと比較して、長期の保管によってもフィルムを破損してしまうような虞が少なく、製造加工が容易で製造コストが安く、強度を確保しつつも軽量で取り扱いが容易であり、廃棄や再生処理のための掛かる費用を低減することが出来るような、マイクロフィルムや磁気テープ・磁気ディスクなどの記録媒体の保管用トランクを提供する。【解決手段】  この考案は圧縮加工して成る紙を素材として容器部と蓋部とから構成された蝶番箱であって、前記容器部は側板部に通気孔を有し、前記蓋部は前記容器部との接続辺を除く３辺にフラップを有し、且つ前記容器部の内部に、通気孔を有すると共に間仕切りが設けられた上げ底を備えていることを特徴とするものである。【選択図】図１
0003168641.tif 000002
【実用新案登録請求の範囲】
【請求項１】
圧縮加工して成る紙を素材として容器部と蓋部とから構成された蝶番箱であって、前記容器部は側板部に通気孔を有し、前記蓋部は前記容器部との接続辺を除く３辺にフラップを有し、且つ前記容器部の内部に、通気孔を有すると共に間仕切りが設けられた上げ底を備えていることを特徴とする、記録媒体の保管用トランク。
【請求項２】
更に前記容器部の前記蓋部との接続辺を除く３辺にフラップを有する、請求項１に記載の記録媒体の保管用トランク。
【請求項３】
更に前記容器部の前記蓋部との接続辺を除く３辺に補強金具を有する、請求項１に記載の記録媒体の保管用トランク。
【請求項４】
前記蓋部を閉じた状態でこの蓋部が備えるフラップを前記容器部の側板部に接着するための面ファスナーを、前記フラップの内側と前記側板部の外側とに備えている、請求項１に記載の記録媒体の保管用トランク。
【請求項５】
前記蓋部を閉じた状態で施錠するためのダイヤル錠を有する、請求項１に記載の記録媒体の保管用トランク。
【考案の詳細な説明】
【技術分野】
【０００１】  この考案はマイクロフィルムや磁気テープ・磁気ディスクなどの記録媒体の保管用トランクに関するものである。
【背景技術】
【０００２】  従来より、マイクロフィルムや磁気テープ・磁気ディスクなどの記録媒体を長期に保管するために、スティール、アルミニウム、ジュラルミン等製の鍵付きの密閉型ロッカー（トランク）が用いられて来た。【０００３】  例えば特開平０８−１６７４９２号は、磁気テープを入れた状態で磁気テープ収納ボックスを搬送したり、保管したりするに当たり、埃の侵入を防止し、静電気の影響を受けないようにして収納出来るような磁気テープ収納ボックスを収納する収納容器を提供することを目的として、導電性を有する材料により形成した上方が開口する容器本体と、容器本体内に収納された中容器と、容器本体の上方開口部を覆蓋する導電性を有する材料により形成した蓋体とから成る密閉式の収納容器としたものである。これによれば、複数の磁気テープを収納した磁気テープ収納ボックスを、内部に埃が侵入したり静電気による悪影響を受けない状態で保管、搬送が出来るようになっている。
【先行技術文献】
【特許文献】
【０００４】
【特許文献１】特開平０８−１６７４９２号公報
【考案の概要】
【考案が解決しようとする課題】
【０００５】  確かに特開平０８−１６７４９２号の収納容器によれば、埃の侵入を防止し、静電気の影響を受けずに収納することが出来る。しかしながらマイクロフィルムを、この種の密閉容器で保存すると、温湿度がコントロールされている保存庫で管理していても容器内部の通気性がないために、容器内部の湿気によってフィルムから酢酸を発生するなどしてフィルムを破損してしまうと言うような不都合が、１０年〜２０年の長期保管期間を経て明らかとなって来た。【０００６】  また上述したような収納容器は金属製のものが殆どであり、製造加工が難しく、強度は強いものの重量が大きくその取り扱いは重労働であり、廃棄や再生処理にコストが掛かると言うような問題点を抱えていた。【０００７】  そこでこの考案は長期の保管によってもフィルムを破損してしまうような虞が少なく、製造加工が容易で製造コストが安く、強度を確保しつつも軽量で取り扱いが容易であり、廃棄や再生処理のための掛かる費用を低減することが出来るような、マイクロフィルムや磁気テープ・磁気ディスクなどの記録媒体の保管用トランクを提供することを課題とするものである。
【課題を解決するための手段】
【０００８】  上記の課題は、圧縮加工して成る紙を素材として容器部と蓋部とから構成された蝶番箱であって、前記容器部は底板部と側板部とに通気孔を有し、前記蓋部は前記容器部との接続辺を除く３辺にフラップを有し、且つ前記容器部の内部に、通気孔を有すると共に間仕切りが設けられた上げ底を備えていることを特徴とする、記録媒体の保管用トランクとすることにより達成される。【０００９】  この考案の保管用トランクは、これまでのスティール、アルミニウム、ジュラルミン等の金属ではなく、圧縮加工して成る紙を素材としているため、重量が大幅に軽減される割には所要の強度が確保出来、繰り返しの使用に耐えられるも廃棄の際は溶解処理して再生することが出来てエコロジカルであり、加工が容易で製造コストを大幅に削減することが出来、紙素材そのものに湿気を吸収する能力があるあどの、優れた性能を発揮するものとなっている。しかもこの保管用トランクは、容器部の底板部と側板部とに通気孔があり、且つ容器部が内蔵する上げ底にも通気孔があるため、外部との通気が確保され、容器部内で空気が循環するため、マイクロフィルムや磁気テープ・磁気ディスクなどの記録媒体の劣化を防ぐことが出来る効果を奏する。この考案の保管用トランクは更に、セキュリティ性能を備えた保管庫の中に保存されることになる。【００１０】  なお好適な圧縮加工紙の一例としてパスコ（登録商標）紙を上げる。パスコ紙は古紙やフレッシュパルプなどの木材繊維を原料とするも、成形性が良好であり、電気絶縁特性に優れ、一般のペーパーボードよりも丈夫であり、箱状に加工したものは強靱で堅牢であると言う特長を有する。バルカナイズドファイバーのペーパーボードを利用することも好ましい。何れにせよ強くて、通気性があり、湿気の吸収が出来るため、この考案の記録媒体の保管用トランクには好適である。【００１１】  なお前記フラップは蓋部をより大きく開放して、記録媒体の出し入れを楽にする効果を有する。前記通気孔の大きさは任意であるが、内部に納めた記録媒体が外部から確認することが出来ないくらいの大きさであることが好ましい。【００１２】  次に、更に前記容器部の前記蓋部との接続辺を除く３辺にフラップを有するものとしても良い。この容器部側のフラップは内蓋の役目を担うものであると共に容器部の口の補強の役目を担うものである。【００１３】  次に、更に前記容器部の前記蓋部との接続辺を除く３辺に補強金具を有するものとしても良い。補強金具によって容器部の口の補強を行うことが出来る。補強金具は錆が出にくいものの方が好ましい。【００１４】  次に、前記蓋部を閉じた状態でこの蓋部が備えるフラップを前記容器部の側板部に接着するための面ファスナーを、前記フラップの内側と前記側板部の外側とに備えているものとしても良い。上述したように前記フラップは蓋部をより大きく開放して記録媒体の出し入れを楽にするが、蓋部を閉じた時の不安を言うのであれば、この面ファスナーがあることによってフラップを容器部にしっかりと止めることが可能になる。なお面ファスナーの他に同様の機能を提供するものの一例としてホックを上げる。記録媒体が磁気記録方式のものでないならば磁石を用いる可能性がある。なお前記容���部は側板部に通気孔を有するわけであるが、この通気孔がフラップによって塞がれる構成となるのであれば、この通気孔に合わせてフラップにも通気孔を設けると良い。【００１５】  次に、前記蓋部を閉じた状態で施錠するためのダイヤル錠を有するものとしても良い。鍵穴に鍵を挿し入れて開錠するタイプの錠前に関しては従来から鍵を紛失してしまう問題が多発していた。これに対してダイヤル錠であれば鍵の紛失と言う問題は解消されることになる。
【考案の効果】
【００１６】  この考案によれば、これまでのスティール製の密閉型ロッカーと比較して軽量な割には所要の強度が確保出来て取り扱いが容易であり、通気性吸湿性が良好でマイクロフィルムなどの記録媒体の長期保存に適しており、製造コストや廃棄・再生に掛かるコストも低いと言う効果がある。
【図面の簡単な説明】
【００１７】
【図１】  実施例１を開放した状態で表す斜視図である。
【図２】  実施例１の上げ底３の平面図である。
【図３】  実施例１を閉じて施錠した状態を表す斜視図である。
【図４】  実施例２を開放した状態で表す斜視図である。
【考案を実施するための形態】
【実施例１】
【００１８】  図１乃至図３で表したこの実施例の保管用トランクは、記録媒体としてのマイクロフィルムの保管に関するものである。圧縮加工紙としてパスコ（登録商標）紙を用いて、容器部１と蓋部２とから成る蝶番箱を形成している。容器部１は底板部１０とその四方を囲う側板部１１とから成る。側板部１１には通気孔１２が開孔されている。側板部１１の一辺には後述する蓋部２の天板部２０がその一辺で接続されて蝶番の役割を担っている。側板部１１の他の三辺にはフラップ１３が設けられている。このフラップ１３は容器部１の内蓋の役目を担うものであると共に容器部１の口の補強の役目を担うものである。このフラップ１３のある側板部１１の外側面には雌側の面ファスナー１４が接着されている。なお符号１５は左右の側板部１１の外側に取り付けられた布製の持ち手であり、また符号１６は後述するダイヤル錠２４の差し込み部を指している。【００１９】  蓋部２の天板部２０の、前記容器部１に接続されていない側の三辺にはフラップ２１が設けられており、各々のフラップ２１の内側面には雄側の面ファスナー２２が接着されている。この面ファスナー２２は蓋部２を閉じた際に容器部１の側板部１１の面ファスナー１４に接着してしっかりと蓋を閉じるようになっている。【００２０】  この蓋部２の中には図２で表した上げ底３が納められる。上げ底３には幾つもの通気孔３０が開孔されておりまた下面側に図示しない脚部を備えており、蓋部２の底板部１０から浮いて底部での通気性が確保されている。また上げ底３の上面側には９８ミリメートルワイドのマイクロフィルム（図２で鎖線で表した）を緩やかに且つ整然と収納するための間仕切り３１が１０５ミリメートル間隔で立設されている。【００２１】  この実施例の保管用トランクを使用するには、図３で表わすように、間仕切り３１の間にマイクロフィルムを納めて蓋部２を閉じ、蓋部２のフラップ２１を面ファスナー２２，１４の接着力を利用して容器部１の側板部１１に固定し、この状態でベルト２３を蓋部２の上から前方に回し、ベルト２３の先端部にあるダイヤル錠２４に容器部１の前側に出してある差し込み部１６を差し込み、ダイヤル錠２４を回してロックするようにする。この状態でこの実施例の保管用トランクは安全が確保され、通気孔１２，３０の通気性によって外部との通気が確保されて容器部内で空気が循環し、紙素材のパスコ（登録商標）紙が湿気を吸収するため、マイクロフィルムの劣化を防ぐことが出来るのである。【００２２】  なお図２で表す上げ底３は容器部１とは別体のものであるが、容器部１の底板部１０に直に上げ底を設けた構成としても良い。これは後述の実施例２に付いても同様である。
【実施例２】
【００２３】  この実施例の保管用トランクは、その用途や構成のほとんどを上述した実施例１の保管用トランクに倣うものであるが、容器部４の口にアルミニウム製のフレーム４３を備えている点で異なる。【００２４】  図４はこの実施例の保管用トランクであるが、容器部４と蓋部５とから成る蝶番箱の、容器部４は底板部４０とその四方を囲う側板部４１とから成り、側板部４には通気孔４２を有し、容器部４の口となる側板部４１の四辺は錆が出にくいアルミニウム製のフレーム４３を被冠しており、側板部４１の一辺には蓋部５の天板部５０がその一辺で接続されて蝶番の役割を担っている。【００２５】  また側板部４１の外側面には雌側の面ファスナー４４が接着されており、左右の側板部４１の外側には布製の持ち手４５を備え、手前側の側板部４１の下方には底板部４０の下面側を渡されて前側に引き出されたダイヤル錠（図示せず：図３のダイヤル錠２４を参照のこと）に差し込むための差し込み部４６を見ることが出来る。【００２６】  また前記天板部５０の容器部４に接続されていない側の三辺にはフラップ５１が設けられており、各々のフラップ５１の内側面には雄側の面ファスナー５２が接着されている。この面ファスナー５２は、蓋部５を閉じた際に前記容器部４の側板部４１に取り付けた面ファスナー４４に接着するように設けられている。
【符号の説明】
【００２７】１    容器部
１０  底板部
１１  側板部
１２  通気孔
１３  フラップ
１４  面ファスナー
１５  持ち手
１６  差し込み部
２    蓋部
２０  天板部
２１  フラップ
２２  面ファスナー
２３  ベルト
２４  ダイヤル錠
３    上げ底
３０  通気孔
３１  間仕切り
４    容器部
４０  底板部
４１  側板部
４２  通気孔
４３  フレーム
４４  面ファスナー
４５  持ち手
４６  差し込み部
５    蓋部
５０  天板部
５１  フラップ
５２  面ファスナー
【図１】
0003168641.tif 000003
【図２】
0003168641.tif 000004
【図３】
0003168641.tif 000005
【図４】
0003168641.tif 000006